(57)【要約】【課題】三面鏡付コンパクト容器において、中央鏡を蓋体に強固に取り付ける。【解決手段】化粧料Ａを収容する容器本体２０、容器本体２０と蝶着している蓋体３０、及び中央鏡と少なくとも一つの袖鏡からなる多面鏡１０を備えたコンパクト容器であって、中央鏡１１及び袖鏡１４ａ、１４ｂがそれぞれ中央鏡用枠体１２、袖鏡用枠体１５ａ、１５ｂに取り付けられている。袖鏡用枠体１５ａ、１５ｂは中央鏡用枠体１２の左右両端部又は片端部に蝶番１８を介して取り付けられ、蓋体３０は、蓋外側部材３１と該蓋外側部材３１の内側に接合された中央鏡用枠体１２からなっている。蓋外側部材３１と中央鏡用枠体１２との接合部１７は、中央鏡用枠体１２の外周縁部１３に位置している。【選択図】図１Ｂ
2006333984.tif 000002
【特許請求の範囲】
【請求項１】
化粧料を収容する容器本体、容器本体と蝶着している蓋体、及び中央鏡と少なくとも一つの袖鏡からなる多面鏡を備えたコンパクト容器であって、
中央鏡及び袖鏡がそれぞれ中央鏡用枠体、袖鏡用枠体に取り付けられ、
袖鏡用枠体が中央鏡用枠体の左右両端部又は片端部に蝶番を介して取付けられ、
蓋体が、蓋外側部材と該蓋外側部材の内側に接合された中央鏡用枠体からなり、
蓋外側部材と中央鏡用枠体との接合部が、中央鏡枠体の外周縁部に位置しているコンパクト容器。
【請求項２】
蓋外側部材と中央鏡用枠体との接合部が、超音波溶着により形成されている請求項１記載のコンパクト容器。
【請求項３】
蓋外側部材と中央鏡用枠体との接合部において、その接合面が中央鏡の鏡面に対して略平行である請求項１又は２記載のコンパクト容器。
【請求項４】
蓋外側部材と中央鏡用枠体との接合部において、その接合面が開ききった袖鏡の鏡面に対して略平行である請求項１又は２記載のコンパクト容器。
【請求項５】
蓋体を閉じた場合に、蓋外側部材と中央鏡用枠体との接合部が、容器本体の外周縁部上に位置する請求項１〜４のいずれかに記載のコンパクト容器。
【請求項６】
容器本体の蝶番部材と掛合する蝶番部材が蓋外側部材に設けられている請求項１〜５のいずれかに記載のコンパクト容器。
【請求項７】
容器本体の蝶番部材と掛合する蝶番部材が中央鏡用枠体に設けられている請求項１〜５のいずれかに記載のコンパクト容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、中央鏡と袖鏡からなる三面鏡を蓋体の内側に取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
しかしながら、従来の三面鏡付のコンパクト容器においては、袖鏡を大きく開こうとする力が過度に加わると中央鏡が蓋体から浮き上がる場合があった。
【０００５】
これに対して、本発明は、中央鏡と一つ以上の袖鏡を備えた多面鏡付のコンパクト容器において、中央鏡が蓋体に強固に取り付けられたものを提供することを目的とする。
【課題を解決するための手段】
【０００６】
本発明者は、中央鏡を中央鏡用枠体に貼着し、その中央鏡用枠体を蓋外側部材と接合して蓋体を形成するにあたり、中央鏡用枠体と蓋外側部材との接合部を特定の部位に設けると、外力に対する中央鏡の取付強度が著しく向上することを見出した。
【０００７】
即ち、本発明は、化粧料を収容する容器本体、容器本体と蝶着している蓋体、及び中央鏡と少なくとも一つの袖鏡からなる多面鏡を備えたコンパクト容器であって、
中央鏡及び袖鏡がそれぞれ中央鏡用枠体、袖鏡用枠体に取り付けられ、
袖鏡用枠体が中央鏡用枠体の左右両端部又は片端部に蝶番を介して取付けられ、
蓋体が、蓋外側部材と該蓋外側部材の内側に接合された中央鏡用枠体からなり、
蓋外側部材と中央鏡用枠体との接合部が、中央鏡枠体の外周縁部に位置しているコンパクト容器を提供する。
【発明の効果】
【０００８】
本発明のコンパクト容器によれば、蓋外側部材と中央鏡用枠体とを接合して蓋体を形成するにあたり、蓋外側部材と中央鏡用枠体との接合部が、中央鏡用枠体の外周縁部に位置している。一方、袖鏡を過度に開こうとする力が加えられると、袖鏡用枠体が中央鏡用枠体の外周縁部に当たり、そこを押圧する。この押圧力は、中央鏡用枠体の外周縁部に設けられている蓋外側部材と中央鏡用枠体との接合部を押圧する方向に作用する。
【０００９】
また、蓋体を閉じた状態でコンパクト容器を落とし、コンパクト容器にその厚み方向の衝撃力が加わった場合にも、この衝撃力は、中央鏡用枠体の外周縁部に設けられている蓋外側部材と中央鏡用枠体との接合部を押圧する方向に作用する。
【００１０】
したがって、本発明のコンパクト容器は、袖鏡を過度に開こうとする力や、コンパクト容器を閉じた状態で加わる外力に対して、中央鏡の取付強度が向上したものとなる。
【発明を実施するための最良の形態】
【００１１】
以下、図面を参照しつつ、本発明を詳細に説明する。なお、各図中、同一符号は同一又は同等の構成要素を表している。
【００１２】
図１Ａは、多面鏡として三面鏡を備えた本発明の一実施例のコンパクト容器１Ａであって、三面鏡１０を開いた状態の斜視図であり、図１ＢはそのＸ−Ｘ断面図である。
【００１３】
このコンパクト容器１Ａは、三面鏡１０、ファンデーション、チーク、アイシャドウ等の化粧料Ａを収容する容器本体２０、及び容器本体２０の開口面を開閉自在に覆う蓋体３０からなり、三面鏡１０は中央鏡１１と、中央鏡１１の左右両側に蝶番１８を介して取り付けられた一対の袖鏡１４ａ、１４ｂからなる。
【００１４】
蓋体３０は、蓋外側部材３１に中央鏡用枠体１２を接合したものからなり、この中央鏡用枠体１２に中央鏡１１が接着剤、粘着剤等により貼着されている。
【００１５】
一対の袖鏡１４ａ、１４ｂは、袖鏡用枠体１５ａ、１５ｂに接着剤、粘着剤等により貼着され、袖鏡用枠体１５ａ、１５ｂが中央鏡用枠体１２の左右両端部に蝶着されている。
【００１６】
蓋体３０は、中央鏡１１の下端側で容器本体２０と蝶着している。容器本体２０には、化粧料Ａの他、必要に応じてスポンジ２１、はけ、ブラシ（図示せず）等の化粧用具が収容されるスペースが設けられる。
【００１７】
このコンパクト容器１Ａでは、蓋体３０を形成する蓋外側部材３１と中央鏡用枠体１２との接合が、図２に示すように、中央鏡用枠体１２において、袖鏡用枠体１５ａ、１５ｂを中央鏡用枠体１２に取り付ける蝶番１８より外側の外周縁部１３でなされている。なお、図２の拡大図には、一方の袖鏡用枠体１５ａを中央鏡用枠体１２に取り付ける蝶番１８近傍を示しているが、他方の袖鏡用枠体１５ｂを中央鏡用枠体１２に取り付ける蝶番１８近傍も同様に構成されている。
【００１８】
本発明において、中央鏡用枠体１２の外周縁部１３とは、中央鏡用枠体１２の中央部の平坦面に対して起立ないし突出している周壁部をいう。蓋外側部材３１と中央鏡用枠体１２との接合位置としては、不要な部分が溶着されたり、中央鏡１１が破損したりするのを防止するため、外周縁部１３の中でも、その先端面に近い部位が好ましい。
【００１９】
蓋外側部材３１と中央鏡用枠体１２との接合は、中央鏡用枠体１２の外周縁部１３に設けられた超音波溶着用リブ１６を用いて、中央鏡用枠体１２の外周縁部１３と蓋外側部材３１の外周縁部３２とを超音波溶着することによりなされている。
【００２０】
このコンパクト容器１Ａにおいて、蓋外側部材３１と中央鏡用枠体１２との接合部１７は、より詳細には、図２に示すように、中央鏡用枠体１２の外周縁部１３の内側縁１３ａより外側に位置する。そして、図３に示すように、蓋体３０を閉じた状態では、接合部１７は容器本体２０の外周縁部２３上に位置する。また、この接合部１７では、蓋外側部材３１と中央鏡用枠体１２との接合面が中央鏡１１の鏡面に対して略平行となっている。
【００２１】
したがって、図２に示すように、このコンパクト容器１Ａに袖鏡１４ａを大きく開く方向の力Ｆ１が加わると、まず、袖鏡用枠体１５ａは中央鏡用枠体１２の外周縁部１３の内側縁１３ａに当接し、袖鏡用枠体１５ａが中央鏡用枠体１２の外周縁部１３を押圧する。この押圧力は蓋外側部材３１と中央鏡用枠体１２との接合を強める方向にはたらく。特に、蓋外側部材３１と中央鏡用枠体１２との接合面が中央鏡１１の鏡面に対して略平行となっているので、力Ｆ１は、接合を強める方向に効果的に作用する。
【００２２】
これに対し、蓋外側部材３１と中央鏡用枠体１２との接合部を、例えば図２のＰ点のように、中央鏡用枠体１２の外周縁部１３より内側に形成すると、袖鏡１４ａを過度に開く方向の力Ｆ１が加えられた場合に、Ｐ点にある接合部には、袖鏡用枠体１５ａが中央鏡用枠体１２に当接する部位（即ち、中央鏡用枠体１２の外周部１３の内側縁１３ａ）が支点となり、てこの原理により、接合を剥離させる方向の力が働く。よって、接合部が破損し、中央鏡１１が蓋体３０から外れやすくなる。
【００２３】
また、このコンパクト容器１Ａによれば、図３に示すように、蓋体３０を閉じた状態でコンパクト容器１Ａを落とし、コンパクト容器１Ａに厚み方向の衝撃力Ｆ２が加わった場合に、この衝撃力Ｆ２は、蓋体３０と中央鏡用枠体１２との接合部１７を押圧する方向に作用する。したがって、落下等による衝撃力Ｆ２に対しても、このコンパクト容器１Ａは、中央鏡１１が強固に取り付けられたものとなる。
【００２４】
図４は、蓋外側部材３１と中央鏡用枠体１２との接合部１７の変形態様を示す、接合部１７付近の拡大断面図である。同図の態様では、蓋外側部材３１と中央鏡用枠体１２との接合面が開ききった袖鏡１４ａの鏡面に対して略平行となっている。このように接合面を形成すると、袖鏡１４ａを大きく開く方向の力Ｆ１を、接合部１７の接合を強める方向の力として、より効果的に利用することができる。
【００２５】
なお、本発明において、中央鏡用枠体１２の外周縁部１３における蓋外側部材３１と中央鏡用枠体１２との接合部１７は、超音波溶着用リブを用いた超音波溶着の他、熱溶着、接着剤による接着等により形成してもよい。
【００２６】
また、蓋外側部材３１と中央鏡用枠体１２とを接合するため、上述のように中央鏡用枠体１２の外周縁部１３に接合部１７を形成するのに加えて、必要に応じて、蓋外側部材３１の中央部と中央鏡用枠体１２の背面中央部とを、両面テープ、接着剤、粘着剤等により貼着してもよい。
【００２７】
図５は、上述のコンパクト容器１Ａの組立部品の説明図である。図示したように、このコンパクト容器１Ａは、蓋外側部材３１、中央鏡１１が貼着された中央鏡用枠体１２、袖鏡１４ａ、１４ｂが貼着された袖鏡用枠体１５ａ、１５ｂ、及び容器本体２０から組み立てられる。このうち、蓋外側部材３１には、容器本体２０の蝶番部材と掛合する蝶番部材３３が設けられており、中央鏡用枠体１２の中央鏡１１の左右両端部には、袖鏡用枠体１５ａ、１５ｂの蝶番部材１８Ｑａ、１８Ｑｂと掛合して蝶番１８を構成する蝶番部材１８Ｐが設けられている。また、蓋外側部材３１には、容器本体２０と掛合するフック３４も設けられている。
【００２８】
組立時には、まず、中央鏡用枠体１２の蝶番部材１８Ｐと袖鏡用枠体１５ａ、１５ｂの蝶番部材１８Ｑａ、１８Ｑｂとをピン（図示せず）で掛合させることによりこれらを蝶着し、それを蓋外側部材３１と接合して蓋体３０を形成し、さらに蓋体３０と容器本体２０とを蝶着する。
【００２９】
このように容器本体２０と蝶着する蝶番部材３３を蓋外側部材３１に設けることにより、中央鏡用枠体１２の歪みを低減させることができ、強度的に優れたコンパクト容器を得ることができる。
【００３０】
図６は、図５と異なる態様のコンパクト容器１Ｂの組立部品の説明図である。このコンパクト容器１Ｂでは、中央鏡用枠体１２に、袖鏡用枠体１５ａ、１５ｂの蝶番部材１８Ｑａ、１８Ｑｂと掛合する蝶番部材１８Ｐに加えて、容器本体２０の蝶番部材と掛合する蝶番部材３３が形成されている。また、中央鏡用枠体１２には、容器本体２０と掛合するフック３４も形成されている。したがって、蓋外側部材３１は突起の無い天板的な構成となっている。組立時には、まず、中央鏡用枠体１２と袖鏡用枠体１５ａ、１５ｂを蝶着し、さらに中央鏡用枠体１２と容器本体２０を蝶着し、それに天板状の蓋外側部材３１を被せる。あるいは、袖鏡用枠体１５ａ、１５ｂを蝶着した中央鏡用枠体１２に天板状の蓋外側部材３１を被せ、それを容器本体２０を蝶着する。
【００３１】
このように、中央鏡用枠体１２に蝶番部材１８、３３を集中させ、フック３４を形成することにより、蓋外側部材３１を平坦な構造にできるので、蓋外側部材３１に成型収縮によるヒケが発生することを防止し、蓋外側部材３１の外観の美しさを向上させることができる。さらに、蓋外側部材３１は、蝶番部材３３やフック３４を形成しない分、デザイン上の制約がなくなり、所望のデザインに構成することが容易となる。
【００３２】
本発明は、この他種々の態様をとることができる。たとえは、三面鏡としては、中央鏡と左右の袖鏡の幅がほぼ等しく、これらを畳んだ場合に鏡が三重に重なり合うものの他、袖鏡の幅が中央鏡の略半分で、三面鏡を折り畳んだ場合に鏡が二重に重なりあい、これを開く場合に袖鏡を観音開きするタイプのものであってもよい。
【００３３】
また、本発明のコンパクト容器は、中央鏡用枠体の左右両端部に袖鏡用枠体を有する三面鏡に限らず、中央鏡の片端部に袖鏡を有する２面鏡を備えたものにするなど、多面鏡を構成する鏡の数に制限はない。
【産業上の利用可能性】
【００３４】
本発明のコンパクト容器は、ファンデーション、チーク、アイシャドウ等の化粧料を収容する容器として有用である。
【図面の簡単な説明】
【００３５】
【図１Ａ】本発明のコンパクト容器において、三面鏡を開いた状態の斜視図である。
【図１Ｂ】図１Ａのコンパクト容器のＸ−Ｘ断面図である。
【図２】袖鏡を過度に開いた状態の断面図である。
【図３】蓋体を閉じた状態の断面図である。
【図４】袖鏡を過度に開いた状態の接合部付近の拡大断面図である。
【図５】コンパクト容器の組立部品の説明図である。
【図６】コンパクト容器の組立部品の説明図である。
【符号の説明】
【００３６】
１Ａ、１Ｂ    コンパクト容器
１０    三面鏡
１１    中央鏡
１２    中央鏡用枠体
１３    中央鏡用枠体の外周縁部
１４ａ、１４ｂ    袖鏡
１５ａ、１５ｂ    袖鏡用枠体
１７    接合部
１８    蝶番
１８Ｐ、１８Ｑａ、１８Ｑｂ    蝶番部材
２０    容器本体
３０    蓋体
３１    蓋外側部材
３２    蓋外側部材の外周縁部
３３    蝶番部材
３４    フック
Ａ    化粧料
Ｆ１、Ｆ２    力
【図１Ａ】
2006333984.tif 000003
【図１Ｂ】
2006333984.tif 000004
【図２】
2006333984.tif 000005
【図３】
2006333984.tif 000006
【図４】
2006333984.tif 000007
【図５】
2006333984.tif 000008
【図６】
2006333984.tif 000009